(57)【要約】【課題】太陽光発電装置の良好な施工性、メンテナンス性を確保しながら、太陽電池モジュールを設置対象に強固に固定できる太陽電池モジュールの取り付け器具を提供する。【解決手段】太陽電池モジュールの取り付け器具は、一対の鉤部および一対の溝部を含む架台フレームと、固定金具と、上止め金具とを備える。固定金具は、第１基部と、第２基部と、上止め金具の固定用ボルトと、ボルトの挿通孔を有する凸部とを備える。固定器具の平面視において、固定金具の第１方向の長さＬ１は一対の鉤部間の距離Ｘ以下であり、第２方向の長さＬ２は距離Ｘより長く、一対の溝部間の距離Ｙ以下である。さらに、第１仮想線と、第２仮想線とで固定金具を４つの領域に区分けした場合に、第１の領域における固定金具の端から挿通孔の中心までの長さＬａが距離Ｙの１／２以下であり、第２の領域における固定金具の端から挿通孔の中心までの長さＬｂが距離Ｙの１／２以下である。【選択図】図４
2020041309.tif 000002
【特許請求の範囲】
【請求項１】
フレーム本体、前記フレーム本体の上面の幅方向両側から延出して設けられた一対の鉤部、および前記フレーム本体の上面と前記一対の鉤部との間に形成された一対の溝部を含み、太陽電池モジュールが載置される架台フレームと、
回転により前記一対の溝部に挿し込まれる第１基部および第２基部を含む固定金具と、
前記太陽電池モジュールを上から押える上止め金具と、
を備え、
前記固定金具は、
前記上止め金具を固定するためのボルトと、
前記ボルトを通す挿通孔を有し、前記第１および前記第２基部にまたがって設けられ、前記フレーム本体の上面との間に前記ボルトの配置スペースを形成する凸部と、
を含み、
前記固定金具の平面視において、
前記固定金具の第１方向の長さＬ１が前記一対の鉤部間の前記フレーム本体の上面の幅方向に沿った距離Ｘ以下であり、
第１方向に直交する前記固定金具の第２方向の長さＬ２が前記距離Ｘより長く、かつ前記一対の溝部間の前記フレーム本体の上面の幅方向に沿った距離Ｙ以下であり、
前記挿通孔の中心を通り第１方向に沿う第１仮想線と、前記挿通孔の中心を通り第２方向に沿う第２仮想線とで前記固定金具を４つの領域に区分けした場合に、第１の領域における前記固定金具の端から前記挿通孔の中心までの長さＬａが前記距離Ｙの１／２以下であり、前記第１の領域に対して前記挿通孔の径方向反対側に位置する第２の領域における前記固定金具の端から前記挿通孔の中心までの長さＬｂが前記距離Ｙの１／２以下である、太陽電池モジュールの取り付け器具。
【請求項２】
前記第１および前記第２仮想線によって区分けされる前記４つの領域のうち、第３の領域に前記固定金具の端から前記挿通孔の中心までの長さＬｃが前記距離Ｙの１／２より長くなる部分が存在し、第４の領域に前記固定金具の端から前記挿通孔の中心までの長さＬｄが前記距離Ｙの１／２より長くなる部分が存在する、請求項１に記載の太陽電池モジュールの取り付け器具。
【請求項３】
前記固定金具の前記凸部は、前記架台フレームの前記一対の鉤部の上面よりも上方に突出している、請求項１または２に記載の太陽電池モジュールの取り付け器具。
【請求項４】
前記固定金具の前記凸部の上面は、前記架台フレームの前記一対の鉤部の上面と同じ高さか、または当該上面よりも低い位置に存在する、請求項１または２に記載の太陽電池モジュールの取り付け器具。
【請求項５】
前記第１および前記第２基部の少なくとも一方は、前記架台フレームに対して前記固定金具を固定するための締結部材を通す第２の挿通孔を有する、請求項１〜４のいずれか１項に記載の太陽電池モジュールの取り付け器具。
【請求項６】
前記固定金具の第１方向は、前記第１基部、前記第２基部、および前記凸部が並ぶ方向である、請求項１〜５のいずれか１項に記載の太陽電池モジュールの取り付け器具。
【請求項７】
複数の太陽電池モジュールと、
請求項１〜６のいずれか１項に記載の太陽電池モジュールの取り付け器具と、
を備え、前記複数の太陽電池モジュールが当該取り付け器具を用いて設置対象に取り付けられた、太陽光発電装置。
【発明の詳細な説明】
【技術分野】
【０００１】
本開示は、太陽電池モジュールの取り付け器具および当該取り付け器具を用いた太陽光発電装置に関する。
【背景技術】
【０００２】
太陽光発電装置は、屋根等の設置対象に複数の太陽電池モジュールを取り付けることで構築されている。例えば、特許文献１には、軒側の太陽電池モジュールに係合する軒側係合フックと、棟側の太陽電池モジュールに係合する棟側係合フックとを含む固定具を複数備えた太陽光発電装置が開示されている。特許文献１の複数の固定具は、ネジを用いて屋根にそれぞれ固定されている。
【先行技術文献】
【特許文献】
【０００３】
【特許文献１】特開２０１５−２１４８７７号公報
【発明の概要】
【発明が解決しようとする課題】
【０００４】
ところで、太陽光発電装置において、良好な施工性、メンテナンス性を確保しながら、太陽電池モジュールを設置対象に強固に固定できることは重要な課題である。メンテナンス性に関して言えば、太陽光発電装置を構成する複数の太陽電池モジュールのうち一部のモジュールだけを容易に取り外して交換できることが望ましい。
【課題を解決するための手段】
【０００５】
本開示に係る太陽電池モジュールの取り付け器具は、フレーム本体、前記フレーム本体の上面の幅方向両側から延出して設けられた一対の鉤部、および前記フレーム本体の上面と前記一対の鉤部との間に形成された一対の溝部を含み、太陽電池モジュールが載置される架台フレームと、回転により前記一対の溝部に挿し込まれる第１基部および第２基部を含む固定金具と、前記太陽電池モジュールを上から押える上止め金具とを備える。前記固定金具は、前記上止め金具を固定するためのボルトと、前記ボルトを通す挿通孔を有し、前記第１および前記第２基部にまたがって設けられ、前記フレーム本体の上面との間に前記ボルトの配置スペースを形成する凸部とを含み、前記固定金具の平面視において、前記固定金具の第１方向の長さＬ１が前記一対の鉤部間の前記フレーム本体の上面の幅方向に沿った距離Ｘ以下であり、第１方向に直交する前記固定金具の第２方向の長さＬ２が前記距離Ｘより長く、かつ前記一対の溝部間の前記フレーム本体の上面の幅方向に沿った距離Ｙ以下であり、前記挿通孔の中心を通り第１方向に沿う第１仮想線と、前記挿通孔の中心を通り第２方向に沿う第２仮想線とで前記固定金具を４つの領域に区分けした場合に、第１の領域における前記固定金具の端から前記挿通孔の中心までの長さＬａが前記距離Ｙの１／２以下であり、前記第１の領域に対して前記挿通孔の径方向反対側に位置する第２の領域における前記固定金具の端から前記挿通孔の中心までの長さＬｂが前記距離Ｙの１／２以下である。
【０００６】
本開示に係る太陽光発電装置は、複数の太陽電池モジュールと、上記太陽電池モジュールの取り付け器具とを備え、複数の太陽電池モジュールが当該取り付け器具を用いて設置対象に固定されている。
【発明の効果】
【０００７】
本開示の一態様である太陽光発電装置の取り付け器具によれば、設置対象に対する太陽電池モジュールの取り付けが容易で優れた施工性が得られる。また、太陽電池モジュールを設置対象に対して安定に固定できると共に、太陽光発電装置の良好なメンテナンス性が確保される。
【図面の簡単な説明】
【０００８】
【図１】実施形態の一例である太陽光発電装置の分解斜視図である。
【図２】実施形態の一例である太陽光発電装置の断面図である。
【図３】実施形態の一例である取り付け器具の分解斜視図である。
【図４】実施形態の一例である取り付け器具の平面図である。
【図５】実施形態の一例である取り付け器具の正面図である。
【図６】太陽光発電装置の変形例を示す図である。
【図７】太陽光発電装置の変形例を示す図である。
【図８】太陽光発電装置の変形例を示す図である。
【発明を実施するための形態】
【０００９】
以下、図面を参照しながら、本開示の実施形態の一例について詳細に説明する。実施形態において参照する図面は、模式的に記載されたものであるから、図面に描画された構成要素の寸法比率などは、以下の説明を参酌して判断されるべきである。
【００１０】
以下に例示する実施形態では、太陽光発電装置１０が屋根に設置され、長尺状の架台フレーム２０が屋根の軒棟方向に沿って取り付けられるものとする。架台フレーム２０は、屋根の野地板にネジ止めされる複数のアンカー（図示せず）を用いて野地板に固定されてもよい。架台フレーム２０は、アンカーの軸部に直接、または他の金具等を介して固定される。アンカーは、例えば、各架台フレーム２０の長手方向両端部に固定される。なお、架台フレーム２０は野地板に直接ネジ止めされてもよく、架台フレーム２０の屋根への取り付け方法は特に限定されない。
【００１１】
図１は、実施形態の一例である太陽光発電装置１０の分解斜視図である。図１に例示するように、太陽光発電装置１０は、複数の太陽電池モジュール１１と、太陽電池モジュールの取り付け器具１７（以下、単に「取り付け器具１７」とする）とを備える。太陽光発電装置１０は、複数の太陽電池モジュール１１が取り付け器具１７を用いて屋根に固定されることで構築される。
【００１２】
太陽電池モジュール１１は、太陽電池パネル１２と、太陽電池パネル１２の端部に設置されたモジュールフレーム１３とを備える。取り付け器具１７は、架台フレーム２０と、固定金具３０と、上止め金具４０とを備える。詳しくは後述するが（後述の図４等参照）、固定金具３０は、回転により第１基部３１および第２基部３２が架台フレーム２０の一対の溝部２３に挿し込まれ、架台フレーム２０に係合するように構成されている。
【００１３】
太陽光発電装置１０は、長尺状の架台フレーム２０上に複数の太陽電池モジュール１１が設置された構造を有する。太陽電池モジュール１１は、架台フレーム２０上に、固定金具３０および上止め金具４０を用いて固定される。以下では、説明の便宜上、軒棟方向に隣り合って配置される２枚の太陽電池モジュール１１について、軒側に配置されるモジュールを太陽電池モジュール１１Ａ、棟側に配置されるモジュールを太陽電池モジュール１１Ｂとする。
【００１４】
太陽電池パネル１２は、例えば、複数の太陽電池セルがガラス板と樹脂製のバックシートで挟持された略平坦なパネルである。本実施形態では、太陽電池モジュール１１および太陽電池パネル１２が、平面視長方形状を有する。太陽電池モジュール１１は、短辺が屋根の軒棟方向に沿うように、かつ隣り合う太陽電池モジュール１１の短辺同士が接触した状態で配置される。なお、太陽電池モジュール１１は、長方形以外の平面視形状を有していてもよく、例えば正方形、台形等であってもよい。
【００１５】
モジュールフレーム１３は、太陽電池パネル１２の端部を保護し、架台フレーム２０に対する太陽電池モジュール１１の固定に利用される。モジュールフレーム１３は、架台フレーム２０上に載せられ、固定金具３０および上止め金具４０によって架台フレーム２０に固定される。モジュールフレーム１３は、平面視長方形状の太陽電池パネル１２の２つの長辺に沿って設けられた２つの長辺フレームと、２つの短辺に沿って設けられた２つの短辺フレームとを含む。
【００１６】
架台フレーム２０は、屋根の桁方向に適当な間隔をあけて互いに平行に配置される。１枚の太陽電池モジュール１１は、少なくとも２本の架台フレーム２０によって支持される。太陽電池モジュール１１は、モジュールフレーム１３が架台フレーム２０の長手方向に直交するように架台フレーム２０上に載置される。図１に例示する架台フレーム２０は、長手方向（軒棟方向）に少なくとも２枚の太陽電池モジュール１１を載置可能な長さを有する。固定金具３０および上止め金具４０は、太陽電池モジュール１１Ａ，１１Ｂの境界部に設けられる。
【００１７】
図２は、太陽光発電装置１０の断面図であって、架台フレーム２０の長手方向に沿って太陽電池モジュール１１Ａ，１１Ｂの境界部およびその近傍を切断した断面を示す。図２に例示するように、モジュールフレーム１３は、上面部、下面部、および側面部を有する中空角柱形状の本体１４と、本体１４の上面に立設した内鍔１５とを備える。内鍔１５は、本体１４の外側から上方に延び、途中でモジュールの内側に折れ曲がった断面略Ｌ字状に形成される。モジュールフレーム１３には、本体１４の上面と内鍔１５との間に、モジュールの内側に向かって開口した、太陽電池パネル１２の端部が挿入される溝が形成されている。
【００１８】
架台フレーム２０は、フレーム本体２１と、一対の鉤部２２とを備える。フレーム本体２１は、モジュールフレーム１３の本体１４と同様に、上面部、下面部、および側面部を有する中空の角柱形状を呈する。一対の鉤部２２は、フレーム本体２１の上面の幅方向両側から延出して設けられている。そして、架台フレーム２０は、フレーム本体２１の上面と一対の鉤部２２との間に形成された一対の溝部２３を備える。太陽電池モジュール１１Ａ，１１Ｂのモジュールフレーム１３Ａ，１３Ｂは、一対の鉤部２２の上面に載置される。
【００１９】
固定金具３０は、第１基部３１および第２基部３２（以下、「一対の基部」という場合がある）を備える。固定金具３０は、太陽電池モジュール１１Ａ，１１Ｂの境界部においてフレーム本体２１の上面に配置されると共に、一対の基部が一対の溝部２３に挿し込まれている。固定金具３０が一対の溝部２３に挿し込まれることで、固定金具３０が架台フレーム２０に固定される。また、固定金具３０は、上止め金具４０を固定するためのボルト３４と、ボルト３４を通すボルト挿通孔３５（以下、単に「挿通孔３５」とする）を有する凸部３３とを備える。
【００２０】
上止め金具４０は、架台フレーム２０の鉤部２２の上面に載置され、ボルト３４を利用して固定金具３０に固定される。上止め金具４０は、断面視略Ｕ字形状の金具本体４１を備える。金具本体４１は、ボルト３４を通すボルト挿通孔４５が形成された板状の底部４２と、底部４２の幅方向両側に立設した一対の側壁部４３と、各側壁部４３の上端から外側に延出した一対の押え部４４とを有する。一対の側壁部４３は底部４２に対して垂直に、一対の押え部４４は各側壁部４３に対して垂直にそれぞれ形成されている。
【００２１】
上止め金具４０は、モジュールフレーム１３Ａ，１３Ｂに挟まれた状態で固定金具３０に固定される。本実施形態では、底部４２のボルト挿通孔４５に通されたボルト３４の軸部にナット４６を締結して上止め金具４０を固定している。上止め金具４０は、一方の押え部４４が一方の側壁部４３の上端から軒側に延び、他方の押え部４４が他方の側壁部４３の上端から棟側に延びるように配置される。
【００２２】
上止め金具４０は、モジュールフレーム１３Ａ，１３Ｂを上から架台フレーム２０に押え付ける。具体的には、一方の押え部４４がモジュールフレーム１３Ａの内鍔１５を上から押え、他方の押え部４４がモジュールフレーム１３Ｂの内鍔１５を上から押える。押え部４４は、内鍔１５よりも短い長さで形成され、内鍔１５の先端よりも太陽電池モジュール１１の内側に張り出さないように設置される。上止め金具４０の長さは、架台フレーム２０の一対の鉤部２２間の距離Ｘより長いことが好ましく、架台フレーム２０の幅より長くてもよい。
【００２３】
図２に示す例では、上止め金具４０の側壁部４３の上下方向長さがモジュールフレーム１３の上下方向長さよりも長く、上止め金具４０の底部４２が、架台フレーム２０の鉤部２２の上面および固定金具３０の凸部３３の上面に当接している。また、固定金具３０の第１基部３１および第２基部３２は、フレーム本体２１の上面に当接している。
【００２４】
図３は取り付け器具１７の分解斜視図、図４は取り付け器具１７の平面図、図５は取り付け器具１７の正面図である。図３〜図５では、上止め金具４０の図示を省略している。図４および図５において、（ａ）は固定金具３０の一対の基部が架台フレーム２０の一対の溝部２３に挿し込まれていない状態を、（ｂ）は固定金具３０の一対の基部が架台フレーム２０の一対の溝部２３に挿し込まれた状態をそれぞれ示す。
【００２５】
図３〜図５に例示するように、取り付け器具１７は、長尺状の架台フレーム２０と、回転操作により架台フレーム２０に固定される固定金具３０とを備える。架台フレーム２０上には、モジュールフレーム１３の底部に食い込んでアースを取るためのアースプレート５０が設けられてもよい。アースプレート５０を設ける場合、モジュールフレーム１３はアースプレート５０を介して架台フレーム２０上に載置される。また、アースプレート５０は固定金具３０の上に配置される。このため、アースプレート５０には、固定金具３０のボルト３４を通すためのボルト挿通孔５１が形成されている。
【００２６】
架台フレーム２０は、上述のように、中空の角柱形状を有するフレーム本体２１と、フレーム本体２１の上面の幅方向両側に立設した一対の鉤部２２と、フレーム本体２１の上面と一対の鉤部２２との間に形成された一対の溝部２３を備える。フレーム本体２１は、上面部が幅方向両側に張り出した形状を有する。各鉤部２２は、当該張り出し部に立設し、フレーム本体２１の幅方向端部から上方に延び、途中で架台フレーム２０の内側に折れ曲がった断面略Ｌ字状に形成されている。
【００２７】
架台フレーム２０は、例えばアルミニウムを主成分とする金属の押出成形により製造される。一般的に、鉤部２２および溝部２３は、架台フレーム２０の全長にわたって形成され、一対の鉤部２２間の距離Ｘおよび一対の溝部２３間の距離Ｙは、架台フレーム２０の全長にわたって一定である。ここで、距離Ｘは、一方の鉤部２２の内端（先端）から他方の鉤部２２の内端までの架台フレーム２０の幅方向に沿った長さを意味し、距離Ｙは、一方の溝部２３の最奥から他方の溝部２３の最奥までの架台フレーム２０の幅方向に沿った長さを意味する。
【００２８】
固定金具３０は、上述のように、回転により架台フレーム２０の一対の溝部２３に挿し込まれる第１基部３１および第２基部３２を備える。また、固定金具３０は、上止め金具４０を固定するためのボルト３４と、第１基部３１および第２基部３２にまたがって設けられ、フレーム本体２１の上面との間にボルト３４の配置スペースを形成する凸部３３とを備える。本実施形態では、ボルト３４の頭部が凸部３３によって形成された当該スペースに配置され、ボルト３４の軸部がフレーム本体２１の上面に対して垂直に立設した状態で挿通孔３５に挿通されている。
【００２９】
固定金具３０は、第１基部３１および第２基部３２が凸部３３によって連結された構造を有する。第１基部３１および第２基部３２は、それぞれ１つの角部がカット（面取り）された平面視略長方形状に形成されている。角部をカットすることで、挿通孔３５から基部の端までの長さが短くなり、フレーム本体２１上での固定金具３０の回転操作が可能となる。また、凸部３３は平面視長方形状に形成され、その中心に真円形状の挿通孔３５を有する。固定金具３０は、第１基部３１および第２基部３２の１つの角部がそれぞれカットされ、一対の基部を分離する切込みが形成された平面視略長方形状の金具と言える。
【００３０】
固定金具３０は、１枚の金属板を曲げ加工して製造されることが好ましい。例えば、金属板をカットして第１基部３１および第２基部３２を形成した後、各基部の連結部分を各基部の内縁に沿って山折りおよび谷折りし、各基部に垂直な一対の側面部、および各基部に平行な上面部を含む凸部３３を形成することで、固定金具３０を製造する。挿通孔３５は、凸部３３の上面部に形成される。
【００３１】
本実施形態では、凸部３３の上面が、架台フレーム２０の一対の鉤部２２の上面と同じ高さか、または当該上面よりも低い位置に存在する。即ち、基部３１がフレーム本体２１の上面に配置された状態で、凸部３３の高さが鉤部２２の上面の高さよりも低くなるように凸部３３が形成される。太陽電池モジュール１１Ａ，１１Ｂの間には、軒棟方向に所定の隙間が形成されるが、本実施形態では、凸部３３の幅が当該隙間の幅に影響しない。
【００３２】
固定金具３０は、架台フレーム２０の一対の鉤部２２間に挿入でき、例えば挿通孔３５（ボルト３４）を中心に時計回りに９０°回転させることで、第１基部３１が一方の溝部２３に、第２基部３２が他方の溝部２３にそれぞれ挿し込まれるように構成されている。即ち、固定金具３０は、一対の鉤部２２間に挿入可能で、かつ一対の鉤部２２間に挿入された状態で９０°回転させることができ、当該回転により一対の基部が一対の溝部２３に挿し込み可能な形状および寸法を有する。
【００３３】
具体的には、固定金具３０の平面視において、固定金具３０の第１方向の長さＬ１は一対の鉤部２２間の距離Ｘ以下であり、固定金具３０の第２方向の長さＬ２は距離Ｘより長く、かつ一対の溝部２３間の距離Ｙ以下である。つまり、距離Ｙ≧長さＬ２＞距離Ｘ≧長さＬ１の関係にある。好ましくは、長さＬ１は距離Ｘ未満、長さＬ２は距離Ｙ未満である（距離Ｙ＞長さＬ２＞距離Ｘ＞長さＬ１）。ここで、第１方向の長さＬ１とは、固定金具３０の平面視において、固定金具３０の第１方向一端から第１方向他端までの第１方向に沿った長さを意味する。第２方向の長さＬ２とは、固定金具３０の平面視において、固定金具３０の第２方向一端から第２方向他端までの第２方向に沿った長さを意味する。
【００３４】
換言すると、固定金具３０には、平面視において、距離Ｙ≧長さＬ２＞距離Ｘ≧長さＬ１の条件を満たす第１方向および第２方向が存在する。本実施形態では、第１基部３１、第２基部３２、および凸部３３が並ぶ方向が、固定金具３０の第１方向であり、第１基部３１および第２基部３２の長手方向に沿った方向が固定金具３０の第２方向である。なお、各基部および凸部が並ぶ方向を固定金具の第１方向としてもよい。
【００３５】
さらに、固定金具３０は、平面視において、挿通孔３５の中心を通り第１方向に沿う第１仮想線αと、挿通孔３５の中心を通り第２方向に沿う第２仮想線βとで固定金具３０を４つの領域（第１の領域Ａ〜第４の領域Ｄ）に区分けした場合に、下記の条件を満たす。
（１）第１の領域Ａにおける固定金具３０の端から挿通孔３５の中心までの長さＬａが距離Ｙの１／２以下であり、好ましくは距離Ｙの１／２未満である。
（２）第２の領域Ｂにおける固定金具３０の端から挿通孔３５の中心までの長さＬｂが距離Ｙの１／２以下であり、好ましくは距離Ｙの１／２未満である。第２の領域Ｂは、第１の領域Ａに対して挿通孔３５の径方向反対側に位置する。
【００３６】
挿通孔３５の径方向に沿った同一直線上において、長さＬａと長さＬｂは、例えば同一である。即ち、当該同一直線上における固定金具３０の一端から他端までの長さは、距離Ｙ以下、好ましくは距離Ｙ未満である。なお、第１仮想線αおよび第２仮想線β上における固定金具３０の端から挿通孔３５の中心までの長さは距離Ｙの１／２以下である。４つの領域を区分けする第１仮想線αおよび第２仮想線β上の領域は、第１の領域Ａまたは第２の領域Ｂに属するものとする。
【００３７】
距離Ｙ≧長さＬ２＞距離Ｘ≧長さＬ１の条件を満たし、かつ上記１，２の条件を満たす場合、図４（ａ）に例示するように、固定金具３０の第１方向が架台フレーム２０の幅方向に沿った状態で、固定金具３０を一対の鉤部２２の間に挿入することができる。換言すると、固定金具３０の第２方向が架台フレーム２０の長手方向に沿った状態で、固定金具３０を一対の鉤部２２の間に挿入できる。そして、図４（ｂ）に例示するように、挿通孔３５（ボルト３４）を中心として固定金具３０を時計回りに９０°回転させることができ、これにより一対の基部が一対の溝部２３に挿し込まれる。
【００３８】
さらに、固定金具３０の平面視において、第１仮想線αと、第２仮想線βとで固定金具３０を４つの領域に区分けした場合に、上記１，２の条件に加えて下記３，４の条件を満たすことが好ましい。
（３）第３の領域Ｃに、固定金具３０の端から挿通孔３５の中心までの長さＬｃが距離Ｙの１／２より長くなる部分が存在する。
（４）第４の領域Ｄに、固定金具３０の端から挿通孔３５の中心までの長さＬｄが距離Ｙの１／２より長くなる部分が存在する。第４の領域Ｄは、第３の領域Ｃに対して挿通孔３５の径方向反対側に位置する。
【００３９】
上記３，４の条件を満たす場合、固定金具３０の回転方向および角度が制限され、固定金具３０の回転操作が容易になる。本実施形態では、一対の基部を一対の溝部２３に挿し込むための回転操作が時計回りに限定され、回転角度が約９０°に限定される。固定金具３０は、第１方向が架台フレーム２０の幅方向に沿うように一対の鉤部２２の間に挿入された状態から、挿通孔３５を中心として時計回りに９０°回転させることができる。
【００４０】
固定金具３０は、第１基部３１の長手方向一端側および第２基部３２の長手方向他端側において、角部が斜めにカットされ面取りされている。面取りされた角部が存在する領域が、上述の第１の領域Ａおよび第２の領域Ｂである。これにより、上記１，２の条件が満たされ、固定金具３０を一対の鉤部２２の間に挿入した状態で時計回りに９０°回転させることができる。
【００４１】
一方、第１基部３１の長手方向他端部および第２基部３２の長手方向一端部は、溝部２３に挿し込まれる部分であって、挿通孔３５の中心からそれぞれ長さＬｃおよび長さＬｄ離れた角部が存在する。鉤部２２に引っ掛かる面積を大きくするため、一対の溝部２３に挿し込まれる第１基部３１の長手方向他端部および第２基部３２の長手方向一端部は、他の部分よりも幅広に形成されていてもよい。
【００４２】
第１基部３１および第２基部３２の少なくとも一方は、架台フレーム２０に対して固定金具３０を固定するための締結部材を通す第２の挿通孔を有していてもよい。本実施形態では、当該締結部材としてネジ３６（図４（ｂ）参照）を用い、第１基部３１および第２基部３２の両方に１つずつ、合計２つのネジ挿通孔３７（第２の挿通孔）が形成されている。ネジ３６は、例えば固定金具３０を回転させた後、１つのネジ挿通孔３７に取り付けられる。ネジ３６を取り付けることで、固定金具３０の回転および溝部２３に沿った移動が防止され、固定金具３０の位置を固定できる。
【００４３】
上述の構成を備えた取り付け器具１７によれば、固定金具３０を架台フレーム２０の一対の鉤部２２の間に配置した後、固定金具３０を回転させて一対の溝部２３に挿し込むという簡便な方法で、固定金具３０を架台フレーム２０に固定できる。そして、モジュールフレーム１３を上から押える上止め金具４０を、ボルト３４を利用して固定金具３０に固定することで、太陽電池モジュール１１を架台フレーム２０に固定できる。取り付け器具１７によれば、屋根等に対する太陽電池モジュール１１の取り付けが容易で優れた施工性が得らえる。
【００４４】
また、取り付け器具１７によれば、太陽電池モジュール１１を屋根等に対して安定に固定できると共に、太陽光発電装置１０の良好なメンテナンス性が確保される。例えば、１つの上止め金具４０を取り外すことで、複数の太陽電池モジュール１１のうち一部のモジュールだけを容易に取り外して交換することが可能である。
【００４５】
上述の実施形態は、本開示の目的を損なわない範囲で適宜設計変更できる。例えば、固定金具の平面視において、凸部に形成されたボルト挿通孔の中心から固定金具の端までの長さを、いずれも距離Ｙの１／２以下に設定することも可能である。この場合、固定金具の回転方向および角度は限定されず、固定金具を一対の鉤部２２の間に挿入した後、３６０°回転させることができる。
【００４６】
図６に例示するように、固定金具３０の凸部３３は、架台フレーム２０の一対の鉤部２２の上面よりも上方に突出していてもよい。即ち、凸部３３は鉤部２２よりも高く形成されてもよい。図６に示す例では、凸部３３の幅が上止め金具４０の幅よりも広く、凸部３３がモジュールフレーム１３Ａ，１３Ｂによって挟まれている。この場合、太陽電池モジュール１１Ａ，１１Ｂの軒棟方向の隙間は、凸部３３の幅によって決定される。凸部３３の側面部は平坦であって、架台フレーム２０の幅方向と平行に配置される。このため、モジュールフレーム１３Ａ，１３Ｂは、凸部３３の側面部を利用することで架台フレーム２０の幅方向に沿ってきれいに配置できる。
【００４７】
図７に例示するように、モジュールフレーム１３には、本体１４の下端部から太陽電池モジュール１１の外側に張り出した外鍔１６が形成されていてもよく、モジュールフレーム１３は外鍔１６を利用して架台フレーム２０に固定されてもよい。図７に示す例では、モジュールフレーム１３Ａ，１３Ｂの各外鍔１６にまたがって断面視略Ｕ字状の上止め金具４７が配置されている。上止め金具４７は、固定金具３０のボルト３４を通すボルト挿通孔４８を有し、ボルト挿通孔４８から上方に突出したボルト３４の軸部にナット４６を締結することで固定金具３０に固定されている。
【００４８】
図８に例示する形態は、凸部３３の上面が、架台フレーム２０の一対の鉤部２２の上面と同じ高さか、または当該上面よりも低い位置に存在する固定金具３０と、一対の押え部４４を含む上止め金具４０とを備える点で、図２に例示する形態と共通する。上止め金具４０は、金具本体４１の底部４２に形成されたボルト挿通孔４５に通されるボルト３４、およびボルト３４の軸部のうちボルト挿通孔４５から上方に突出した部分に締結されるナット４６を用いて固定金具３０に連結されている。
【００４９】
一方、図８に例示する形態では、上止め金具４０の側壁部４３の上下方向長さがモジュールフレーム１３の上下方向長さよりも短い。そして、上止め金具４０の底部４２が、架台フレーム２０の鉤部２２の上面および固定金具３０の凸部３３の上面に当接していない、即ち底部４２と、鉤部２２の上面および凸部３３の上面との間に隙間が存在している。この場合、ナット４６を底部４２の上面から突出したボルト３４の軸部に締結することで、固定金具３０が引き上げられ、第１基部３１および第２基部３２が一対の溝部２３内において一対の鉤部２２の下面に当接する。そして、一対の基部とフレーム本体２０の上面との間に隙間が形成される。
【００５０】
図８に例示する形態では、固定金具３０が架台フレーム２０に強く押し付けられると共に、モジュールフレーム１３が上止め金具４０によって強く押え付けられる。上止め金具４０は、底部４２の上面がナット４６によって上から押圧され、これにより、一対の押え部４４がモジュールフレーム１３の内鍔１５に強く当接する。固定金具３０は、凸部３３の下面がボルト３４の頭部によって下から押圧され、これにより、一対の基部が一対の鉤部２３の下面に強く当接する。
【符号の説明】
【００５１】
１０  太陽光発電装置、１１，１１Ａ，１１Ｂ  太陽電池モジュール、１２  太陽電池パネル、１３，１３Ａ，１３Ｂ  モジュールフレーム、１４  本体、１５  内鍔、１６  外鍔、１７  太陽電池モジュールの取り付け器具（取り付け器具）、２０  架台フレーム、２１  フレーム本体、２２  鉤部、２３  溝部、３０  固定金具、３１  第１基部、３２  第２基部、３３  凸部、３４  ボルト、３５  ボルト挿通孔（挿通孔）、３６  ネジ、３７  ネジ挿通孔、４０，４７  上止め金具、４１  金具本体、４２  底部、４３  側壁部、４４  押え部、４５，４８  ボルト挿通孔、４６  ナット、５０  アースプレート、５１  ボルト挿通孔
【図１】
2020041309.tif 000003
【図２】
2020041309.tif 000004
【図３】
2020041309.tif 000005
【図４】
2020041309.tif 000006
【図５】
2020041309.tif 000007
【図６】
2020041309.tif 000008
【図７】
2020041309.tif 000009
【図８】
2020041309.tif 000010